(57)【要約】      （修正有）【課題】ハンガーに吊るしやすく、また継続的に用いる際に均一に乾燥し、或いは乾燥している部分とそうでない部分とを視認しやすくすることで、ふきんの乾いた個所を手指や食器の拭き作業時に瞬時に把握することができるふきんを提供する。【解決手段】短辺と長辺の比が概ね１：２の長方形状の布地の短辺同士を接合させて筒状に構成し、開口部近傍の一方又は双方に視認可能な印部を設ける。印部は、布地から視認可能に構成されていればよく、例えば布地の色と異なる着色が施されていてもよく、また布地と異なる色の糸によるステッチ１０とすることもできる。【選択図】図２
0003196752.tif 000002
【実用新案登録請求の範囲】
【請求項１】
短辺と長辺の比が概ね１：２の長方形状の布地の短辺同士を接合させて筒状に構成したふきんであって、開口部近傍の一方又は双方に視認可能な印部が設けられていることを特徴とするふきん。
【請求項２】
前記印部は、着色手段により前記布地と異なる色に着色された着色部であることを特徴とする、請求項１に記載のふきん。
【請求項３】
前記印部は、前記布地と異なる色の糸によるステッチであることを特徴とする、請求項１に記載のふきん。
【請求項４】
前記印部が複数設けられており、かつ各々の印部が異なる外観を呈していることを特徴とする、請求項１から請求項３のいずれか１に記載のふきん。
【考案の詳細な説明】
【技術分野】
【０００１】
本考案は、手や食器、台所やテーブルなどを拭くふきん、特に筒状のふきんに関する。
【背景技術】
【０００２】
ふきんは、洗浄後の食器に付着した水分のふきとりや水仕事後の手や指の水分の吸収、あるいは台所やテーブル、その周辺を拭くのに用いられる。一般的なふきんの形状は偏平状、あるいは筒状からなる。こうしたふきんは使用中、あるいは使用後に乾燥させることが多い。
【０００３】
乾燥させるにあたっては、たとえば図５（ａ）に図示するようなフックや。図５（ｂ）に示すようなハンガーに吊るして乾燥させることが多い。特に図４（ｂ）に示したハンガーの多くはプラスチック製であって、先端部に若干の凸部が設けられていることで端部からの落下は防止されているものが多いもののハンガーの棒状部分それ自体には特段の滑り止めがなされていないことが多い。そのため、偏平状のふきんの場合、その重心を外して吊るしてしまうと自重でハンガーから落ちてしまい、清潔さを保つことができなくなるという問題がある。
【０００４】
ふきんの乾燥に際して、たとえば特許文献１には、側面に自立のための支持手段、あるいは端部に輪状を保つための支持手段を設けたことを特徴とするふきんが開示されている。また特許文献２には既存タオルに面ファスナーを取付ける事により使用個所が広くなり、既存タオルより、労働、洗剤、電気代、洗濯機の消耗等が緩和されるタオルが開示されている。
【先行技術文献】
【特許文献】
【０００５】
【特許文献１】特開２０１４−０００２２３
【特許文献２】特開２００２−０６５５００
【考案の概要】
【考案が解決しようとする課題】
【０００６】
しかし、特許文献１は筒状のふきんではあってもこれをハンガーに吊るして乾燥することについては何ら言及されていない。また特許文献２によれば、面ファスナーを取り付けることによって使用個所が広くなる旨開示はあるが、面ファスナーを添付ないし縫い合わせた部分については重みが増すことが想定され、摩擦の弱いハンガーにあっては面ファスナーの貼り合わせ部分が吊るし時に常に最下部に回転してしまうこととなり、均一な乾燥、均一な使用を行うことの妨げとなり得る。
【０００７】
そこで本考案は、ハンガーに吊るしやすく、また継続的に用いる際に均一に乾燥し、或いは乾燥している部分とそうでない部分とを視認しやすくすることで、ふきんの乾いた個所を手指や食器の拭き作業時に瞬時に把握することができるふきんを提供することを課題とする。
【課題を解決するための手段】
【０００８】
上記課題を解決すべく、本考案は以下の構成を有する。
【０００９】
短辺と長辺の比が概ね１：２の長方形状の布地の短辺同士を接合させて筒状に構成したふきんであって、開口部近傍の一方又は双方に視認可能な印部が設けられていることを特徴とするふきん（請求項１）。
【００１０】
なお印部は、布地から視認可能に構成されていればよく、例えば布地の色と異なる着色が施されていてもよく（請求項２）、また、布地と異なる色の糸によるステッチであってもよい（請求項３）。
【００１１】
更に印部は開口部近傍に複数設けられており、かつ各々の印部が異なる外観を呈しているよう構成することもできる（請求項４）。
【考案の効果】
【００１２】
かかる構成によれば、ハンガーに吊るす際にはふきんを片方の腕に軽く通した状態でハンガーを筒状部の内側に通し、そのまま腕を抜くだけでよいから、片手で他の作業を行いながらでも容易にかつしわを生じることなく吊るすことができる。そればかりか、吊るした際にバランスを損なって自重で落下してしまうことを防ぐことができる。さらに筒状に形成されていることから、拭き作業に用いた後に適宜吊るしているふきんを回転させることにより、乾いている個所を使用しやすい部分として提示することできる。また視認可能な印部を設けていることにより、ふきんのどの部分を用いて拭き作業を行ったかが見た目に判り易く、筒状ふきんを効率的に拭き作業に供することができるという効果が期待できる。
【００１３】
また、各印部が各々異なる外観を呈していることにより、どの部分を拭き作業に用いたかがわかりやすくなり、適宜ふきんを回転させることで拭き作業の効率化を図ることができる、という効果が期待できる。
【００１４】
なお、本考案において、「接合」とは、布地の端部同士を縫合その他の方法により固着させることを意味する。典型的には縫合だがこれに限られず、融着、接着剤による固着など任意の方法を採用することができる。なお縫合する際の糸の色目を布地と異なる色とすることにより、接合手段であり同時に印部とすることもできる。
【００１５】
「布地」は、ふきんとしての機能を発揮し得るものであれば材質は特に限定されず、木綿、リネン、マイクロファイバー、不織布など適宜採用可能である。「開口部」とはふきんを筒状に構成した場合における、布地の長辺２辺が構成する環状部をいい、「開口部近傍」とは開口部及びそ布地のうち開口部に近い個所の布地帯をいう。開口部近傍に視認可能な印部が設けられていることにより、吊るした状態においてどの部分を拭き作業に用いどの部分がまだであるかの目印として用いることができる。
【図面の簡単な説明】
【００１６】
【図１】本考案に係る筒状ふきん１の構造を示す図である。
【図２】本考案に係る筒状ふきん１をハンガーＨに吊るした状態の図である。
【図３】（ａ）ステッチ１０の長さを箇所毎に異なるものとした例の図である。（ｂ）ステッチ１０の態様を箇所毎に異なるものとした例の図である。
【図４】（ａ）着色部として開口部Ｏの近傍を部分的に染色した例の図である。（ｂ）着色部として各箇所に特定の文字や記号を表した例の図である。
【図５】（ａ）ふきんを吊るすフックを例示した図である。（ｂ）ふきんを吊るすハンガーを例示した図である。
【考案を実施するための形態】
【００１７】
以下、適宜図示しつつ、本考案の最適な実施形態につき説明する。
【実施例１】
【００１８】
図１は、本考案に係る筒状ふきん１の構造を示す図である。図１（ａ）に示すように、布地Ｎは短辺と長辺の長さが概ね１：２の長方形状からなる。布地Ｎは木綿製であり、食器等を拭くにあたって十分な吸水力を有している。布地Ｎにはその２辺の長辺の一方又は双方近傍にステッチ１０が施されている。布地Ｎの両短辺を接合部２０において接合させることにより、図１（ｂ）に示すような筒状ふきん１となり、両長辺は筒状ふきん１の開口部Ｏを構成することとなる。なおここでの接合手段としては縫い糸による縫合を採用している。またステッチ１０を構成するための縫い糸としては、布地Ｎと異なる色の糸を用いればよい。
【００１９】
この筒状ふきん１は、図２に示すような棒状のハンガーＨに吊るす際に容易に吊るすことができる。すなわち、通常の布地Ｎのような形状の場合、吊るす位置によって左右のバランスが不均一となり、自重でハンガーから滑り落ちてしまうことがある。しかし筒状ふきん１であればそのような不都合は生じない。筒状ふきん１をハンガーＨに吊るした状態を図２に示す。平面上の付近の場合、ハンガーにつるす際のバランスを考慮し、両手で整えながら吊るす必要があるが、この筒状ふきん１では片手だけでも容易にかつしわを生じることなくハンガーに付近を吊るすことができる。
【００２０】
筒状ふきん１が均質な材質でできている場合、ステッチ１０がないと仮定すれば、接合部２０を除いてはほぼ同様の外観を呈することになる。一方でこの筒状ふきん１は食器や手指を拭くふきんとして用いられることから、食器や手指の水分を吸収した状態で吊るされる。乾いた部分と湿った部分との判別が視認するだけではわかりにくいことも多い。
【００２１】
ここで本考案の筒状ふきん１は、図２に示すように開口部Ｏ付近にステッチ１０が設けられている。そのため接合部２０とステッチ１０との位置関係から、食器や手指を拭くのに用いた個所を特定することができる。したがって効率的に布地を用いるために、ハンガーＨで吊るす位置を筒状ふきん１を回転させて変えることにより、拭くのに使いやすい位置に乾燥した部位をあてることができる。
【００２２】
このようにステッチ１０は、布地Ｎとは異なる色の糸（すなわち着色手段）により着色された着色部として機能し得る。もっともステッチの態様は単一なものに限らず、種々採用することができる。例えば図３（ａ）に示すように、ステッチ１０の長さを箇所毎に異なるものとすることで、筒状ふきん１の回転状態をより適切に把握することが容易となる。あるいは図３（ｂ）に示すように、ステッチ１０の態様をそれぞれ異なるものとすることで、筒状ふきん１のどの部分を吊るしているのかをより適切に把握することが容易となる。
【００２３】
更には、着色部としてはこうしたステッチ１０に限らず、例えば図４（ａ）に示すように部分的に染色をすることもできるし、図４（ｂ）に示すようにその染色を特定の文字や記号を表すような外観とすることもできる。また更には図示しないが、ステッチ１０の縫い糸の色を箇所毎に異なるものとすることもできるし、複数の着色手段を併用することもできる。
【産業上の利用可能性】
【００２４】
このように本考案に係るふきんは、ハンガーに吊るす際に容易かつしわを生じることなく吊るすことができ、吊るした際にバランスを損なって自重で落下してしまうことがない。拭き作業に用いた後に印部を参照しながら適宜吊るしているふきんを回転させることにより、乾いている個所を使用しやすい部分として提示することできる。このため、特に台所における食器や手指の拭き作業を効率的かつ衛生的に行うことができ、産業上の利用に資する。
【符号の説明】
【００２５】
１      筒状ふきん
１０    ステッチ
２０    接合部
Ｎ      布地
Ｈ      ハンガー
Ｏ      開口部
【図１】
0003196752.tif 000003
【図２】
0003196752.tif 000004
【図３】
0003196752.tif 000005
【図４】
0003196752.tif 000006
【図５】
0003196752.tif 000007